(57)【要約】【課題】改修後の屋根の外観を低下させないようにすることができ、しかも、雨水の吹き込みや新屋根材の劣化を防止することができる屋根改修用スペーサを提供する。【解決手段】複数枚の旧屋根材１、１…を葺設した既存屋根２の上に新屋根材３を葺設するにあたって、既存屋根２と新屋根材３との重なり合い部分に介在させる屋根改修用スペーサＡに関する。厚みの異なる複数の部位を備える。既存屋根２と新屋根材３の間隙を屋根改修用スペーサＡで閉塞することができる。【選択図】図１
2007277933.tif 000002
【特許請求の範囲】
【請求項１】
複数枚の旧屋根材を葺設した既存屋根の上に新屋根材を葺設するにあたって、既存屋根と新屋根材との重なり合い部分に介在させる屋根改修用スペーサにおいて、厚みの異なる複数の部位を備えて成ることを特徴とする屋根改修用スペーサ。
【請求項２】
一側端部から他側端部に向かって徐々に厚みが小さくなるように形成して成ることを特徴とする請求項１に記載の屋根改修用スペーサ。
【請求項３】
新屋根材と旧屋根材を断面凹凸形状に形成し、新屋根材の山部に嵌合する複数の上突出部と、旧屋根材の凹溝部に嵌合する複数の下突出部とを並設し、上突出部と下突出部との厚みとを一側端部から他側端部に向かって徐々に小さくして成ることを特徴とする請求項１又は２に記載の屋根改修用スペーサ。
【請求項４】
複数の旧屋根材を葺設した既存屋根に新屋根材を葺設する屋根の改修構造において、請求項１乃至３のいずれかに記載の屋根改修用スペーサを既存屋根と新規屋根との重なり合い部分に介在させることにより、隣接する旧屋根材の側端部同士の重なり合いにより生じた段差を吸収して成ることを特徴とする屋根の改修構造。
【請求項５】
既存屋根がプラットホーム上の屋根であり、新屋根材が金属製の棟包部材又は鋸棟部材の少なくとも一方であることを特徴とする請求項４に記載の屋根の改修構造。
【発明の詳細な説明】
【技術分野】
【０００１】
本発明は、経年により老朽化した屋根材（旧屋根材）が葺設された既存屋根を改修する際に用いる屋根改修用スペーサ及びこの屋根改修用スペーサを用いた屋根の改修構造に関するものであり、特に、鉄道駅舎のプラットホーム上の屋根の改修に好適に使用されるものである。
【背景技術】
【０００２】
従来からプラットホーム上の屋根には大波スレート（通称１トンスレート）と呼ばれる屋根材が葺設されている。この屋根の架線側の鋸曲げ部は振動や風による影響を受けやすく、老朽化により割れた場合、車両の乗降客の頭上に直接落下して重大な災害になる恐れがある。そこで、老朽化した鋸曲げ部の葺き替えが考えられるが、ゼロアスベスト化された屋根材を用いて鋸曲げ部用の鋸棟部材（鋸棟ラジアル）を形成した場合、長期間の強度を確保することが難しく、葺き替え後の早い時期に割れて落下するという懸念がある。従って、例えば、ガラス繊維強化樹脂製の鋸棟部材を用いて屋根の改修を行うことが提案されている（例えば、特許文献１参照）。
【０００３】
しかし、複数枚の屋根材（旧屋根材）を葺設した既存屋根の上に新しい屋根材を葺設して新規屋根を形成する場合、既存屋根には隣接する旧屋根材の重なり合いにより段差（不陸）が生じているために、その段差が新規屋根に影響を与えて外観が低下することがあった。特に、新屋根材が鋸棟部材である場合、その下端部が幅方向に鋸状に斜めになり、著しく外観を損ねるという問題があった。また、既存屋根と新屋根材との間に形成される隙間から雨が吹き込むという問題があり、さらに、旧屋根材がスレート板である場合、既存屋根と新屋根材との接触により旧屋根材のアルカリ成分で新屋根材が劣化しやすいという問題があった。
【特許文献１】特開２００６−７０４７６号公報
【発明の開示】
【発明が解決しようとする課題】
【０００４】
本発明は上記の点に鑑みてなされたものであり、改修後の屋根の外観を低下させないようにすることができ、しかも、雨水の吹き込みや新屋根材の劣化を防止することができる屋根改修用スペーサ及び屋根の改修構造を提供することを目的とするものである。
【課題を解決するための手段】
【０００５】
本発明の屋根改修用スペーサＡは、複数枚の旧屋根材１、１…を葺設した既存屋根２の上に新屋根材３を葺設するにあたって、既存屋根２と新屋根材３との重なり合い部分に介在させる屋根改修用スペーサＡにおいて、厚みの異なる複数の部位を備えて成ることを特徴とするものである。
【０００６】
本発明の屋根改修用スペーサＡにあっては、一側端部から他側端部に向かって徐々に厚みが小さくなるように形成することができる。
【０００７】
また、本発明の屋根改修用スペーサＡにあっては、新屋根材３と旧屋根材１を断面凹凸形状に形成し、新屋根材３の山部１１に嵌合する複数の上突出部４ａ、４ｂ…と、旧屋根材１の凹溝部５に嵌合する複数の下突出部６ａ、６ｂ…とを並設し、上突出部４ａ、４ｂ…と下突出部６ａ、６ｂ…との厚みとを一側端部から他側端部に向かって徐々に小さくすることができる。
【０００８】
本発明の屋根の改修構造は、複数の旧屋根材１、１…を葺設した既存屋根２に新屋根材３を葺設する屋根の改修構造において、請求項１乃至３のいずれかに記載の屋根改修用スペーサＡを既存屋根２と新規屋根３との重なり合い部分に介在させることにより、隣接する旧屋根材１、１の重なり合いにより生じた段差を吸収して成ることを特徴とするものである。
【０００９】
本発明の屋根の改修構造にあっては、既存屋根２がプラットホーム７上の屋根８であり、新屋根材３が金属製の棟部材９又は鋸棟部材１０の少なくとも一方とすることができる。
【発明の効果】
【００１０】
本発明では、屋根改修用スペーサＡを既存屋根２と新屋根材３の重なり合う部分に介在させるので、既存屋根２と新屋根材３の間隙を屋根改修用スペーサＡで閉塞することができ、既存屋根２と新屋根材３の間隙からの風雨の吹き込みを防止することができるものであり、また、既存屋根２と新屋根材３の接触を防止することができ、既存屋根２のアルカリ成分から新屋根材３を絶縁して腐食による劣化を防止することができるものである。さらに、屋根改修用スペーサＡが厚みの異なる複数の部位を備えることにより、旧屋根材１、１の重なり合いにより生じる既存屋根２の段差を吸収することができ、新規屋根の外観を低下させないようにすることができるものである。
【発明を実施するための最良の形態】
【００１１】
以下、本発明を実施するための最良の形態を説明する。
【００１２】
図１（ａ）（ｂ）に本発明の屋根改修用スペーサＡの一例を示す。この屋根改修用スペーサＡは柔軟性のある材料で形成することができ、例えば、発泡ポリエチレンなどの発泡樹脂で形成することができ、具体的には、東レペフボードの３０倍発泡品（見掛け密度０．０２８ｋｇ／ｃｍ２）などを用いることができる。その他に、ウレタン樹脂やエチレンプロピレンゴム（ＥＰＴ）や塩化ビニル樹脂などの樹脂性軟質発泡材で屋根改修用スペーサＡを形成することができる。
【００１３】
屋根改修用スペーサＡはその幅寸法が後述の既存屋根２の旧屋根材１の働き幅と略同寸法に形成されている。また、屋根改修用スペーサＡには、複数の上突出部４ａ、４ｂ、４ｃ、４ｄ、４ｅ、４ｆが幅方向に並べて設けられていると共に複数の下突出部６ａ、６ｂ、６ｃ、６ｄ、６ｅが幅方向に並べて設けられている。上突出部４ａ、４ｂ…と下突出部６ａ、６ｂ…とは幅方向に交互に連なって形成されている。上突出部４ａ、４ｂ…は正面視で略台形に形成され、その側面には段部３１が設けられている。また、上突出部４ａ、４ｂ…の下面は円弧状の凹曲面に形成されている。下突出部６ａ、６ｂ…の上面は平坦面に形成され、下突出部６ａ、６ｂ…の下面は円弧状の凸曲面に形成されている。
【００１４】
屋根改修用スペーサＡの一方の側端部に形成された上突出部４ａの厚みＴａはその隣の上突出部４ｂの厚みＴｂよりも大きく形成されており、また、上突出部４ｂの厚みＴｂはその隣の上突出部４ｃの厚みＴｃよりも大きく形成されている。このように一方の側端部に形成された上突出部４ａから他方の側端部に形成された上突出部４ｆに向かうにしたがって上突出部４ａ、４ｂ…４ｆの厚みＴａ、Ｔｂ…Ｔｆを徐々に小さくなるようにしている。また、屋根改修用スペーサＡの一方の側端部に形成された下突出部６ａの厚みｔａはその隣の下突出部６ｂの厚みｔｂよりも大きく形成されており、また、下突出部６ｂの厚みｔｂはその隣の下突出部６ｃの厚みｔｃよりも大きく形成されている。このように一方の側端部に形成された下突出部６ａから他方の側端部に形成された下突出部６ｅに向かうにしたがって下突出部６ａ、６ｂ…６ｅの厚みｔａ、ｔｂ…ｔｅを徐々に小さくなるようにしている。従って、屋根改修用スペーサＡはその全体として一側端部から他側端部に向かって徐々に厚みが薄くなるように形成されている。尚、隣り合う上突出部の厚みの差及び隣り合う下突出部の厚みの差は適宜設定可能であるが、例えば、２ｍｍにすることができる。さらに、屋根改修用スペーサＡの上突出部４ｆの側方には半下突出部１２が設けられている。この半下突出部１２は下面に切欠凹部１３を有すると共にその最大厚みｔ１０を下突出部６ａよりもやや大きく（約２ｍｍ）形成した以外は下突出部６ａと同等に形成されている。
【００１５】
以下に、上記屋根改修用スペーサＡを用いた既存屋根２の改修構造として、鉄道駅舎のプラットホーム７上の屋根８において、老朽化した鋸棟部材２４を改修する場合について説明する。図２に示すように、プラットホーム７上の屋根８は、プラットホーム７上に複数本の支柱２３を立設し、各支柱２３から線路２２側に向かって支持部２９を突設し、隣り合う支柱２３、２３の支持部２９、２９間に複数本の母屋材２７を架設し、支持部２９及び母屋材２７の上に旧屋根材１を葺設すると共に葺設した旧屋根材１の先側（電車４０の線路２２側）に鋸棟部材２４を葺設するようにして形成している。旧屋根材１は大波スレートなどのスレート板で形成されており、凸条部３０と凹溝部５とが交互に繰り返し連なって断面凹凸形状に形成されている。鋸棟部材２４は旧屋根材１と同じスレート板を所定の曲率半径で湾曲して形成されている。複数枚の旧屋根材１、１…はその幅方向（凸条部３０及び凹溝部５の長手方向と直交する方向）に隣接して並べて葺設されるが、隣接する旧屋根材１、１の側端部１ａ、１ａは上下に重ね合わせるようにする。尚、通常の旧屋根材１の働き幅は７８０ｍｍが基本である。また、符号２８は雨樋であって、線路２２と反対側に向かって傾斜する屋根８から流れ落ちる雨水を受けるようになっている。
【００１６】
そして、このようなプラットホーム７の屋根８を既存屋根２として、老朽化した鋸棟部材２４を葺き替えて改修を行うにあたっては、次のようにして行う。まず、図３に示すように、既存の鋸棟部材２４を既存屋根２から取り外す。次に、図４に示すように、この鋸棟部材２４を取り外した既存屋根２の旧屋根材１の上に屋根改修用スペーサＡを配設する。ここで、屋根改修用スペーサＡをその幅方向が旧屋根材１の幅方向と平行になるように配置する。また、屋根改修用スペーサＡの下突出部６ａ、６ｂ…６ｅ及び半下突出部１２を旧屋根材１の凹溝部５に嵌合し、旧屋根材１の凸条部３０が屋根改修用スペーサＡの上突出部４ａ、４ｂ…の下面に接触することになる。従って、旧屋根材１の上面に屋根改修用スペーサＡの下面が沿うことになる。また、屋根改修用スペーサＡは旧屋根材１の働き幅部分（旧屋根材１の一方の側端部を除く部分）の略全長に亘って配設する。また、半下突出部１２の切欠凹部１３には、隣接する旧屋根材１、１の重なり合った側端部１ａ、１ａのうち、上側に重ねられた側端部１ａの先端が納まるようにする。さらに、屋根改修用スペーサＡは旧屋根材１の先端部で母屋材２７の上方に位置に配置する。そして、複数個の屋根改修用スペーサＡを幅方向に隣接させながら、既存屋根２の全長に亘って屋根改修用スペーサＡを配設する。尚、屋根改修用スペーサＡは両面テープなどで旧屋根材１に固定することができる。
【００１７】
次に、新屋根材３として新規の鋸棟部材（鋸棟ラジアル）１０を配設する。新規の鋸棟部材１０は、ステンレス鋼板、亜鉛めっき鋼板、ガルバリウム鋼板、塗装鋼板などを加工して形成した金属製のものを用いるのが好ましい。これにより、ノンアスベスト化することができると共にノンアスベスト化されたスレート板よりも経年劣化を少なくすることができて強度低下や割れによる落下を防止することができる。図５に示すように、鋸棟部材１０には複数本の山部１１が幅方向に並んで形成されている。各山部１１は鋸棟部材１０の前後方向の全長に亘って形成されている。また、山部１１のピッチ（約１３０ｍｍ）は既存屋根２の旧屋根材１の凸条部３０のピッチと同等に形成されている。隣り合う山部１１、１１の間の部分は平坦な谷部１５として形成されている。従って、鋸棟部材１０は山部１１と谷部１５とが交互に繰り返し連なって断面凹凸形状に形成されている。また、鋸棟部材１０の前側部分は前端（先端）が下方に向くように曲げ加工された尾だれ部１６として形成されている。従って、鋸棟部材１０は断面略し字状に形成されている。上記尾だれ部１６の曲げ角度はプレス段数により適宜調整可能であるが、例えば、曲率半径が２５０ｍｍＲとすることができる。また、鋸棟部材１０としては、例えば、厚み０．５〜０．６ｍｍとすることができるが、これに限定されない。
【００１８】
そして、鋸棟部材１０の尾だれ部１６を線路２２側に向けた状態で、図６に示すように、鋸棟部材１０の後部を既存屋根２の旧屋根材１の上に取り付けた屋根改修用スペーサＡの上に載せ、この後、フックボルトやドリルビスなどの固定具４１で鋸棟部材１０を母屋材２７に固着する。この時、屋根改修用スペーサＡの上突出部４ａ、４ｂ…が鋸棟部材１０の山部１１の下側空間に嵌合し、屋根改修用スペーサＡの下突出部６ａ、６ｂ…の上面に鋸棟部材１０の谷部１５の下面が接触することになる。従って、屋根改修用スペーサＡの上面に鋸棟部材１０の下面が沿うことになる。また、複数枚の鋸棟部材１０、１０…がその幅方向（山部１１の長手方向と直交する方向）に隣接して並べて葺設されるが、隣接する鋸棟部材１０、１０の側端部は上下に重ね合わせるようにする。尚、通常の鋸棟部材１０の働き幅は６５０ｍｍである。このようにして既存屋根２の老朽化した鋸棟部材２４を新屋根材３の鋸棟部材１０に葺き替えることによって、図７のように屋根の改修を行うことができる。
【００１９】
上記のような屋根の改修では、既存屋根２の鋸棟部材２４のみを交換するので、旧屋根材１も含めた屋根全体の部材を交換する場合に比べて、工期を短く、安価に施工することができるものである。
【００２０】
また、従来から旧屋根材１として使用している大波スレートは板厚が約６．３ｍｍであり、隣接する旧屋根材１、１の側端部１ａ、１ａ同士を上下に重ね合わせるので、上側に重ねた側端部１ａの凸条部３０と重ね合わせていない凸条部３０との間に１０ｍｍ程の段差が生じることになる。従って、既存屋根２の幅方向（線路２２と平行な方向）において、旧屋根材１の上面の高さが一定とならず、段差（不陸）が発生している。よって、本発明の屋根改修用スペーサＡを使用しないで、新規の鋸棟部材１０を施工した場合、図８（ａ）に示すように、既存屋根２の段差の影響を受けて隣接する鋸棟部材１０、１０の側端部１０ａ、１０ａ同士を重ね合わせることができず、接続不良が発生し、また、尾だれ部１６、１６…の下端の高さ位置が揃わず、尾だれ部１６、１６…の下端からなる線は一直線にならず、鋸状の斜め線になり、改修後の屋根の外観が低下することがあった。そこで、本発明では上記屋根改修用スペーサＡを用いることにより、隣接する旧屋根材１、１の側端部１ａ、１ａ同士の重ね合わせにより生じる段差を吸収するものであり、この屋根改修用スペーサＡの上面に新規の鋸棟部材１０を載置することにより、図８（ｂ）に示すように、隣接する鋸棟部材１０、１０の側端部同士を確実に重ね合わせて接続することができると共に尾だれ部１６、１６…の下端の高さを一定に揃えることができ、尾だれ部１６、１６…の下端からなる線を水平な一直線にすることができ、改修後の屋根の外観を低下しないようにすることができる。
【００２１】
また、図９に示すように、屋根改修用スペーサＡを既存屋根２と新屋根材３との間に介在させるので、既存屋根２と新屋根材３の間隙を屋根改修用スペーサＡで閉塞することができ、屋根改修用スペーサＡを面戸として作用させて風雨の吹き込みを防止することができる。また、既存屋根２と新屋根材３の接触を防止することができ、既存屋根２のアルカリ成分から新屋根材３を絶縁して腐食による劣化を防止することができる。
【００２２】
図１０に示すように、本発明の屋根改修用スペーサＡは、老朽化した棟包部材を取り替えて既存屋根２の改修を行う際にも用いることができる。すなわち、鉄道駅舎のプラットホーム７上の屋根８を既存屋根２とした場合、既存の棟包部材を既存屋根２から取り外し、次に、棟包部材を取り外した既存屋根２の旧屋根材１の先端部（棟側先端部）の上に屋根改修用スペーサＡを上記と同様に配設する。次に、新屋根材３として新規の棟包部材（棟包ラジアル）９を配設する。新規の棟包部材９は上記の新規の鋸棟部材１０と同様にステンレス鋼板などを加工して形成した金属製のものを用いるのが好ましい。また、新規の棟包部材９は上記の新規の鋸棟部材１０と同様の断面形状を有するものであるが、棟包部材９の前後方向の略中央部は上方に向かって屈曲されており、棟包部材９は略く字状に形成されている。
【００２３】
そして、棟包部材９を既存屋根２の棟部分で対向配置された旧屋根材１、１の間に架け渡して配置し、旧屋根材１の上に取り付けた屋根改修用スペーサＡの上に棟包部材９の前後端部を載せ、この後、上記と同様にフックボルトやドリルビスなどの固定具を棟包部材９に貫通させて母屋材２７に固着する。この時、上記と同様に、屋根改修用スペーサＡの上突出部４ａ、４ｂ…が棟包部材９の山部１１の下側空間に嵌合し、屋根改修用スペーサＡの下突出部６ａ、６ｂ…の上面に棟包部材９の谷部１５の下面が接触することになる。従って、屋根改修用スペーサＡの上面に棟包部材９の下面が沿うことになる。また、複数枚の棟包部材９、９…がその幅方向（山部１１の長手方向と直交する方向）に隣接して並べて葺設されるが、隣接する棟包部材９、９の側端部は上下に重ね合わせるようにする。このようにして既存屋根２の老朽化した棟包部材を新屋根材３の棟包部材９に葺き替えることによって、屋根の改修を行うことができる。
【００２４】
上記の屋根改修用スペーサＡに上突出部４ａ、４ｂ…や下突出部６ａ、６ｂ…を設けているが、これに限らず、例えば、図１１に示すように、上面と下面とを平坦面としながら、厚みを一側端部から他側端部に向かって徐々に薄くするようにしてもよい。また、本発明の屋根改修用スペーサＡは複数の部分に分割されていてもよい。
【図面の簡単な説明】
【００２５】
【図１】本発明の屋根改修用スペーサの一例を示し、（ａ）は斜視図、（ｂ）は正面図である。
【図２】プラットホームの屋根を示す概略図である。
【図３】既存屋根から鋸棟部材を取り外した状態を示す概略図である。
【図４】本発明の屋根改修用スペーサを既存屋根に取り付けた状態を示す斜視図である。
【図５】本発明で用いる鋸棟部材の一例を示す斜視図である。
【図６】鋸棟部材を取り付けた状態を示す斜視図である。
【図７】既存屋根に新規の鋸棟部材を取り付けた状態を示す概略図である。
【図８】（ａ）は本発明の屋根改修用スペーサが無い場合の問題点を示す断面図、（ｂ）は本発明の屋根改修用スペーサがある場合の施工状態を示す断面図である。
【図９】既存屋根と鋸棟部材との間に屋根改修用スペーサが介在した状態を示す断面図である。
【図１０】本発明の棟部分における改修構造を示す概略図である。
【図１１】本発明の屋根改修用スペーサの他例を示す断面図である。
【符号の説明】
【００２６】
１  旧屋根材
２  既存屋根
３  新屋根材
４ａ  上突出部
４ｂ  上突出部
４ｃ  上突出部
４ｄ  上突出部
４ｅ  上突出部
４ｆ  上突出部
５  凹溝部
６ａ  下突出部
６ｂ  下突出部
６ｃ  下突出部
６ｄ  下突出部
６ｅ  下突出部
７  プラットホーム
８  屋根
９  棟包部材
１０  鋸棟部材
Ａ  屋根改修用スペーサ
【図１】
2007277933.tif 000003
【図２】
2007277933.tif 000004
【図３】
2007277933.tif 000005
【図４】
2007277933.tif 000006
【図５】
2007277933.tif 000007
【図６】
2007277933.tif 000008
【図７】
2007277933.tif 000009
【図８】
2007277933.tif 000010
【図９】
2007277933.tif 000011
【図１０】
2007277933.tif 000012
【図１１】
2007277933.tif 000013